(57)【要約】【課題】防水性に優れ且つ施工の容易な外張断熱外壁構造を提供すること。【解決手段】外壁下地２の外側に配される断熱材３と、断熱材３の表面を防水被覆する防水シート４と、断熱材３を外壁下地２に固定する固定用ビス５と、断熱材３の厚みを確保するスペーサー６と、断熱材３の表面側で固定用ビス５に嵌装でき且つ胴縁８を固定する胴縁ハンガー７と、該胴縁ハンガー７に固定される胴縁８とを備え、スペーサー６はビス挿通孔６１を有し、断熱材３に厚み方向に貫通して配されており、胴縁ハンガー７は、その一端部に断熱材３側に配されるつば部７１を有し、固定用ビス５を挿通し得るビス挿通孔７２を有しており、固定用ビス５は、胴縁ハンガー７のビス挿通孔７２及びスペーサー６のビス挿通孔６１を挿通して外壁下地２にビス止めされて、断熱材３を外壁下地２に固定しており、防水シート４は、胴縁ハンガー７のつば部７１と胴縁８との間で挟持されている。【選択図】　　　　図１
2004084244.tif 000002
【特許請求の範囲】
【請求項１】
外壁下地の外側の所定位置に配される断熱材と、該断熱材の表面を防水被覆する防水シートと、前記断熱材を前記外壁下地に固定する固定用ビスと、前記断熱材の厚みを所定厚みに確保するスペーサーと、前記断熱材の表面側で前記固定用ビスに嵌装でき且つ胴縁を固定する胴縁ハンガーと、該胴縁ハンガーに固定される胴縁とを備えた外張断熱外壁構造であって、
前記スペーサーは、前記固定用ビスを挿通し得るビス挿通孔を有し、前記断熱材にその厚み方向に貫通して配されており、
前記胴縁ハンガーは、その一端部に前記断熱材側に配されるつば部を有し、前記固定用ビスを挿通し得るビス挿通孔を有しており、
前記固定用ビスは、前記胴縁ハンガーの前記ビス挿通孔及び前記スペーサーの前記ビス挿通孔を挿通して前記外壁下地にビス止めされて、前記断熱材を前記外壁下地に固定しており、
前記防水シートは、前記胴縁ハンガーの前記つば部と前記胴縁との間又は前記スペーサーの端部と前記胴縁ハンガーの前記つば部との間で挟持されている外張断熱外壁構造。
【請求項２】
前記スペーサーは、前記外壁下地側の端部を該外壁下地に当接させた状態で該スペーサーの長手方向に押圧されると、該スペーサーの該端部の近傍が長手方向に潰れると共に短手方向に拡開するように構成されており、該端部の近傍が潰れた状態で該端部が前記外壁下地に固定されていると、前記断熱材の厚みを所定厚みに確保できるようになしてある請求項１記載の外張断熱外壁構造。
【請求項３】
複数枚の前記防水シートが、それらの端部同士を重ね合わせて前記断熱材の表面に設けられている請求項１又は２記載の外張断熱外壁構造。
【請求項４】
前記固定用ビスは、前記外壁下地を構成する柱又は間柱にビス止めされている請求項１〜３の何れかに記載の外張断熱外壁構造。
【請求項５】
前記胴縁の外側に外壁材が固定されている請求項１〜４の何れかに記載の外張断熱外壁構造。
【発明の詳細な説明】
【０００１】
【発明の属する技術分野】
本発明は、外壁下地の外側に断熱材を張り付けて構成される外張断熱外壁構造に関する。
【０００２】
【従来の技術及び発明が解決しようとする課題】
住宅等の建物の外壁部分に断熱材を設ける構造として、外壁下地の外側に断熱材を張り付けて構成される外張断熱外壁構造がある。外張断熱外壁構造は、柱や間柱の間に断熱材を充填するいわゆる充填断熱外壁構造に対して、断熱欠損が少なく、木材材積が少ない等の利点を有している。
【０００３】
しかし、ジオス工法等により施工される従来の一般的な外張断熱外壁構造においては、次のような欠点がある。
即ち、外壁下地に仮止めされた断熱材の内部に、該断熱材の厚みを所定厚みに確保するためのスペーサーを挿通する必要があるが、従来においては、断熱材の表面を被覆している防水シートに、該スペーサーを挿通し得る充分な径の孔部を穿孔しているため、該孔部において防水性が低かった。また、複数個の断熱材を並置する場合、従来においては、防水シートの継目を粘着テープで継ぎ合わせているが、粘着テープの耐久性や信頼性が不充分であるため、防水シートの継目において防水性が低かった。そして、従来においては、防水性を向上させるため、施工に多大な労力を要していた。
【０００４】
従って、本発明の目的は、防水性に優れ且つ施工の容易な外張断熱外壁構造を提供することにある。
【０００５】
【課題を解決するための手段】
本発明は、外壁下地の外側の所定位置に配される断熱材と、該断熱材の表面を防水被覆する防水シートと、前記断熱材を前記外壁下地に固定する固定用ビスと、前記断熱材の厚みを所定厚みに確保するスペーサーと、前記断熱材の表面側で前記固定用ビスに嵌装でき且つ胴縁を固定する胴縁ハンガーと、該胴縁ハンガーに固定される胴縁とを備えた外張断熱外壁構造であって、前記スペーサーは、前記固定用ビスを挿通し得るビス挿通孔を有し、前記断熱材にその厚み方向に貫通して配されており、前記胴縁ハンガーは、その一端部に前記断熱材側に配されるつば部を有し、前記固定用ビスを挿通し得るビス挿通孔を有しており、前記固定用ビスは、前記胴縁ハンガーの前記ビス挿通孔及び前記スペーサーの前記ビス挿通孔を挿通して前記外壁下地にビス止めされて、前記断熱材を前記外壁下地に固定しており、前記防水シートは、前記胴縁ハンガーの前記つば部と前記胴縁との間又は前記スペーサーの端部と前記胴縁ハンガーの前記つば部との間で挟持されている外張断熱外壁構造を提供することにより、上記目的を達成したものである。
【０００６】
【発明の実施の形態】
本発明の外張断熱外壁構造を、その好ましい一実施形態について、図１〜図３を参照して説明する。
本発明の第１実施形態の外張断熱外壁構造１は、外壁下地２の外側の所定位置に配される断熱材３と、該断熱材３の表面を防水被覆する防水シート４と、前記断熱材３を前記外壁下地２に固定する固定用ビス５と、前記断熱材３の厚みを所定厚みに確保するスペーサー６と、前記断熱材３の表面側で前記固定用ビス５に嵌装でき且つ胴縁８を固定する胴縁ハンガー７と、該胴縁ハンガー７に固定される胴縁８とを備えている。
【０００７】
また、第１実施形態の外張断熱外壁構造１においては、前記スペーサー６は、前記固定用ビス５を挿通し得るビス挿通孔６１を有し、前記断熱材３にその厚み方向に貫通して配されており、前記胴縁ハンガー７は、その一端部に前記断熱材３側に配されるつば部７１を有し、前記固定用ビス５を挿通し得るビス挿通孔７２を有しており、前記固定用ビス５は、前記胴縁ハンガー７の前記ビス挿通孔７２及び前記スペーサー６の前記ビス挿通孔６１を挿通して前記外壁下地２にビス止めされて、前記断熱材３を前記外壁下地２に固定しており、前記防水シート４は、前記胴縁ハンガー７の前記つば部７１と前記胴縁８との間で挟持されている。
尚、図１（ａ）及び（ｂ）においては、外壁下地２、断熱材３及び防水シート４が正面視で矩形に図示されており、胴縁８が正面視で短尺状に図示されているが、実際には、外壁下地２、断熱材３及び防水シート４は正面視で四方に延びており、胴縁８は正面視で長尺状に延びている。また、図１（ａ）においては、便宜上、防水シート４を想像線（２点鎖線）で図示しているが、実際には、図１（ｂ）に示すように、断熱材３と胴縁８との間に配されている。
【０００８】
本実施形態の外張断熱外壁構造１における外壁下地２、断熱材３、防水シート４、スペーサー６、胴縁ハンガー７、胴縁８及び固定用ビス５について更に詳述する。
外壁下地２は、図１及び図２に示すように、土台（図示せず）から立設する間柱２１や柱（図示せず）を挟持するように、外壁の下地となる外壁下地板２２及び内壁の下地となる内壁下地板２３が設けられて構成されている。
【０００９】
断熱材３としては、グラスウール等の繊維系断熱材や、発泡ポリスチレン等の発泡樹脂系断熱材等があるが、本実施形態においては、グラスウールからなり、厚みが２．５〜６．０ｃｍの断熱材を用いている。
防水シート４としては、アスファルトフェルト、透湿防水シート等の防水性を有するシートがあるが、本実施形態においては、透湿性も有する透湿防水シートを用いている。防水シート４は、施工前においては、取り扱い及び施工の便宜上、長尺状とされ、ロール状に巻回されている。
【００１０】
スペーサー６は、図１（ａ）及び図２に示すように、円柱状の部材で、長手方向に前記ビス挿通孔６１が形成されており、また、スペーサー６の長さは、断熱材３の前記厚みより若干短くなっている。
胴縁ハンガー７は、図１〜図３に示すように、一端部につば部７１が形成され、他端部に雄ネジ７３が形成され、略ハット状となっている。また、長手方向に前記ビス挿通孔７２が形成されている。
【００１１】
胴縁８は、図１及び図２に示すように、長尺状の鋼製板材を断面コ字状に折曲して形成されており、短手方向中央部の所定位置には、胴縁ハンガー７の雄ネジ７３を挿通し得る長孔状のハンガー挿通孔８１が形成されている。ハンガー挿通孔８１の幅は、図２に示すように、胴縁ハンガー７の雄ネジ７３の外径より若干大きくなっている。また、一対の折曲部８２の端縁部は、図２に示すように、外壁材９（後述）との当接縁となる。また、胴縁８の所定位置には、外壁材９を固定するための外壁材ハンガー（図示せず）が溶接やかしめ等により取付けられている。
【００１２】
固定用ビス５は、木ねじであり、図２に示すように、そのビス頭５１の径は、胴縁ハンガー７の雄ネジ７３の外径より小さく、且つビス挿通孔７２の内径より大きくなっている。また、固定用ビス５の長さは、胴縁ハンガー７の長さとスペーサー６の長さと外壁下地板２２の厚みとの和よりも充分大きく、固定用ビス５のビス部５２を間柱２１にネジ込み可能となっている。
サイディング材等の外壁材９は、図２に示すように、胴縁８の折曲部８２の端縁部に当接した状態で、胴縁８の外側に前記外壁材ハンガーにより固定されるものである。
【００１３】
次に、第１実施形態の外張断熱外壁構造の施工手順について、図１及び図２を参照して説明し、併せて、その構成についても更に詳述する。
先ず、外壁下地２の所定位置に必要な個数の断熱材３を並置して仮止めする。仮止めは、仮止め用の釘を断熱材３の四隅に打ち付けて行う。次に、断熱材３の表面における固定用ビス５の挿通位置に位置墨の墨出しを行う。尚、この挿通位置は、外壁下地２における間柱２１や柱等、固定用ビス５のネジ部５２をネジ込み可能な箇所に対応している。
次いで、断熱材３の表面に付された位置墨にビス挿通孔６１を合わせて、スペーサー６を断熱材３の内部に挿入設置し、スペーサー６の一端部６２を外壁下地板２２に当接させる。尚、本実施形態における断熱材３は、グラスウールからなるため、その内部にスペーサー６を容易に挿入できる。然る後、スペーサー６のビス挿通孔６１に胴縁ハンガー７のビス挿通孔７２を合わせて、胴縁ハンガー７のつば部７１を断熱材３の表面及びスペーサー６の他端部６３に当接させる。
【００１４】
この状態で、固定用ビス５を、胴縁ハンガー７のビス挿通孔７２及びスペーサー６のビス挿通孔６１を挿通し、外壁下地２の外壁下地板２２及び間柱２１にネジ込む。このようにすると、固定用ビス５のネジ頭５１で胴縁ハンガー７を外壁下地２側に押圧し、胴縁ハンガー７のつば部７１で断熱材３の表面を外壁下地２側に押圧することになると共に、スペーサー６により断熱材３の厚みを所定厚みに確保できる。
【００１５】
次に、断熱材３の表面を胴縁ハンガー７と共に防水シート４で被覆する。尚、防水シート４における胴縁ハンガー７の雄ネジ７３に対応する箇所には、該雄ネジ７３の外径と略同じ径の孔部４１が形成されている。
また、防水シート４は、施工前にはロール状になされており、ロールの巻回を解きながら、複数個の断熱材３に亘って被覆することができる。複数枚の防水シート４を継ぎ合わせる場合には、それらの端部同士を重ね合わせて、防水シート４を断熱材３の表面に貼着する。特に、複数枚の防水シート４を上下方向に継ぎ合わせる場合には、継目の防水性を一層向上させるため、上方の防水シートの端部を下方の防水シートの端部の表側になるようにする。
【００１６】
次に、胴縁８のハンガー挿通孔８１を胴縁ハンガー７の雄ネジ７３に嵌装し、胴縁ハンガー７のつば部７１と胴縁８の短手方向中央部（一対の折曲部８２以外の部分）との間で防水シート４を挟持した状態で、胴縁ハンガー７の雄ネジ７３にナット８３を螺合させて、胴縁８を胴縁ハンガー７に固定する。
然る後、外壁材９を、胴縁８の一対の折曲部８２の端縁部に当接させた状態で、胴縁８に設けられた前記外壁材ハンガー（図示せず）により固定する。
【００１７】
第１実施形態の外張断熱外壁構造においては、胴縁ハンガー７のつば部７１と胴縁８の短手方向中央部との間で防水シート４を挟持しているため、スペーサー６の近傍における防水性が優れている。また、複数枚の防水シート４を、それらの端部同士を重ね合わせて、断熱材３の表面を被覆しているため、防水シート４の継目における防水性についても優れている。
【００１８】
次に、本発明の第２実施形態の外張断熱外壁構造について図４〜図６を参照して説明する。第２実施形態の外張断熱外壁構造は、スペーサーの構成が異なる以外は、第１実施形態の外張断熱外壁構造と同様の構成を有している。従って、以下には、主として、スペーサーの構成について説明し、それ以外の構成については、第１実施形態と同じ符号を付し、説明を省略する。
【００１９】
第２実施形態の外張断熱外壁構造におけるスペーサー（節形スペーサー）６’は、図４〜図６に示すように、前記外壁下地２側の端部６２’を該外壁下地２に当接させた状態で該スペーサー６’の長手方向に押圧されると、該スペーサー６’の該端部６２’の近傍６４’が長手方向に潰れると共に短手方向に拡開するように構成されており、該端部６２’の近傍６４’が潰れた状態で該端部６２’が前記外壁下地２に固定されていると、前記断熱材３の厚みを所定厚みに確保できるようになしてある。
【００２０】
節形スペーサー６’について詳述すると、節形スペーサー６’は、図６に示すように、端部６２’の近傍６４’が多数の折曲可能な骨材６４ａ’からなり、該骨材６４ａ’がその中間部分で折曲することにより、近傍６４’が潰れて拡開し、全長が所定長さとなる。尚、図６においては、節形スペーサー６’の構成及び端部６２’の近傍６４’が潰れてゆく状態を明確に示すため、節形スペーサー６’、固定用ビス５及び外壁下地２以外の構成部材を省略して、模式的に図示している。また、図５及び図６においては、節形スペーサー６の太さを実際より太く図示してある。
【００２１】
第２実施形態の外張断熱外壁構造の施工手順を、第２実施形態の外張断熱外壁構造の施工手順と異なる点について、図５及び図６を参照して説明する。
図５（ｂ）に示すように、先ず、外壁下地２の外壁下地板２２の表面に断熱材３を仮止めする。また、節形スペーサー６’の端部（一端部）６２’の近傍６４’が潰れていない状態において、節形スペーサー６’の他端部６３’と胴縁ハンガー７のつば部７１とを当接させた状態で、胴縁ハンガー７のビス挿通孔７２及び節形スペーサー６’のビス挿通孔６１’に固定用ビス５を挿通する。その状態で、固定用ビス５を節形スペーサー６’及び胴縁ハンガー７と共に外壁下地２に向けて押圧することにより、節形スペーサー６’を断熱材３の内部に挿入してゆく。挿入してゆくと、節形スペーサー６’の一端部６２’が外壁下地２の外壁下地板２２に当接するが、更に固定用ビス５を外壁下地２にネジ込んでいくことにより、胴縁ハンガー７を介して節形スペーサー６’が長手方向に押圧される。そして、その押圧力により、節形スペーサー６’の一端部６２’の近傍６４’の骨材６４ａ’がその中間部分で折曲し、近傍６４’が長手方向に潰れると共に短手方向に拡開し、節形スペーサー６’の全長が所定長さとなる。その結果、節形スペーサー６’の一端部６２’の近傍６４’が潰れた状態で、断熱材３の厚みが所定厚みに確保される。その後、防水シート４，胴縁８、外壁材９等を、第１実施形態の施工手順と同様に施工し、図５（ａ）に示す外張断熱外壁構造が得られる。
【００２２】
第２実施形態の外張断熱外壁構造のように、先端部が潰れて拡開する節形スペーサーが用いられると、スペーサーが外壁下地２の外壁下地板２２に安定して固定される。また、スペーサーの長手方向中間部の外径を細くすることができ、そのため、スペーサーを断熱材に挿入する際の挿入抵抗が小さい。
【００２３】
本発明の垂直保持具は、前述の第１及び第２実施形態に制限されることなく、本発明の趣旨を逸脱しない限り、例えば以下に示すように適宜変更が可能である。
第１及び第２実施形態においては、防水シートが、胴縁ハンガー７のつば部７１と胴縁８との間で挟持されているが、本発明においては、図７に示す別の実施形態のように、防水シート４が、スペーサー６の端部と胴縁ハンガー７のつば部７１との間で挟持されていてもよい。この別の実施形態の外張断熱外壁構造においても、第１及び第２実施形態と同様に、スペーサー近傍の防水性が優れている。
【００２４】
第１及び第２実施形態においては、固定用ビス５が外壁下地２の間柱２１にネジ込まれているが、本発明においては、固定用ビスが外壁下地の柱にネジ込まれていてもよい。また、第１及び第２実施形態においては、胴縁ハンガー７の雄ネジ７３にナット８３を螺合させて、胴縁ハンガー７と胴縁８とを固定しているが、他の固定構造を採用することもできる。
また、外壁下地における間柱や柱等の間の空間に繊維系断熱材を充填し、断熱効果を更に向上させることもできる。
断熱材として、発泡樹脂系断熱材を用いた場合には、スペーサーを断熱材に圧入するのは困難なため、スペーサーを挿入する前に断熱材にスペーサーの外径と略同じ径の孔部を形成しておくことが好ましい。
【００２５】
【発明の効果】
本発明の外張断熱外壁構造によれば、防水性に優れ、且つ施工が容易である。
【図面の簡単な説明】
【図１】図１は、本発明の第１実施形態の外張断熱外壁構造を示す図で、（ａ）は、模式的な分解斜視図、（ｂ）は、施工後の状態を示す斜視図である。
【図２】図２は、図１（ｂ）に示すＸ−Ｘ断面図である。
【図３】図３は、本発明の一実施形態の外張断熱外壁構造における胴縁ハンガーを示す図で、（ａ）は、平面図、（ｂ）は、（ａ）に示すＹ−Ｙ断面図である。
【図４】図４は、本発明の第２実施形態の外張断熱外壁構造を示す概略断面図である。
【図５】図５は、本発明の第２実施形態の外張断熱外壁構造を示す断面図で、（ａ）は、施工後の状態を示す図、（ｂ）は、各構成部材の施工手順を模式的に示す図である。
【図６】図６は、本発明の第２実施形態の外張断熱外壁構造における節形スペーサーを示す模式図で、（ａ）〜（ｃ）は、節形スペーサーの一端部近傍が潰れてゆく状態を順に示す図である。
【図７】図７は、本発明の別の実施形態の外張断熱外壁構造を示す断面図である。
【符号の説明】
１　外張断熱外壁構造
２　外壁下地
２１　間柱
２２　外壁下地板
２３　内壁下地板
３　断熱材
４　防水シート
４１　孔部
５　固定用ビス
５１　ビス頭
５２　ネジ部
６　スペーサー
６’　節形スペーサー
６１、６１’　ビス挿通孔
６２、６２’　端部（一端部）
６３、６３’　他端部
７　胴縁ハンガー
７１　つば部
７２　ビス挿通孔
７３　雄ネジ部
８　胴縁
８１　ハンガー挿通孔
８２　折曲部
８３　ナット
９　外壁材
【図１】
2004084244.tif 000003
【図２】
2004084244.tif 000004
【図３】
2004084244.tif 000005
【図４】
2004084244.tif 000006
【図５】
2004084244.tif 000007
【図６】
2004084244.tif 000008
【図７】
2004084244.tif 000009